(57)【要約】【課題】スライド可能に構成されたコンソールドアを、その前後の両スライド位置で、収納部のリッドを兼ねた上段用のトレイ、あるいは収納部内に位置する中段用のトレイとして任意に使い分けることができるコンソールボックスを提供することである。【解決手段】上面が開放された収納部４０を持つボックス本体２と、この収納部における開放面のうち、前後方向の一部のみを被う寸法に設定されたドア５０とを備え、このドアがボックス本体側に設けられたレール３２に沿って前後方向へスライドできる構成のコンソールボックス１である。ボックス本体側のレールは、収納部における左右両側の内壁に対して上下に多段状に構成され、これらのレールに対してドアを選択的に支持し、かつ、取外すことが可能に構成されている。【選択図】図２
2014213632.tif 000002
【特許請求の範囲】
【請求項１】
上面が開放された収納部を持つボックス本体と、この収納部における開放面のうち、前後方向の一部のみを被う寸法に設定されたドアとを備え、このドアがボックス本体側に設けられたレールに沿って前後方向へスライドできる構成のコンソールボックスであって、
ボックス本体側のレールは、収納部における左右両側の内壁に対して上下に多段状に構成され、これらのレールに対してドアを選択的に支持し、かつ、取外すことが可能に構成されているコンソールボックス。
【請求項２】
請求項１に記載のコンソールボックスであって、
ボックス本体における収納部の内壁に対し、上下方向の中間域に位置するレールと対応する箇所に収納部内を照明する光源が設けられ、
ドアは光源からの光を透す透光部材で構成され、このドアが多段状のレールに対して選択的に支持された状態において、選択されたレールの高さによって光源に対するドアの上下方向の位置を変化させるように構成されたコンソールボックス。
【発明の詳細な説明】
【技術分野】
【０００１】
本発明は、車両用のコンソールボックスに関する。詳しくは、上面が開放された収納部を持つボックス本体と、この収納部における開放面の一部を被う寸法に設定されたドアとを備え、このドアがボックス本体側のレールに沿ってスライドできる構成のコンソールボックスに関する。
【背景技術】
【０００２】
この種のコンソールボックスにおいては、その一例が特許文献１に開示されている。このコンソールボックスでは、そのボックス本体における収納部内の左右の内壁に、前後に連続したレールがそれぞれ設けられている。そして、このレールに対してトレイ（ドア）が前後にスライド可能に支持され、その状態でのドアはコンソールボックスの収納部内に位置している。
【先行技術文献】
【特許文献】
【０００３】
【特許文献１】特開２００８−１８９１７０号公報
【発明の概要】
【発明が解決しようとする課題】
【０００４】
特許文献１に開示されているコンソールボックスにおいて、ボックス本体のレールに支持された状態でのドアは、そのスライド位置に関係なく、収納部内で常に一定の高さに位置している。つまり、このドアは収納部内における中段用のトレイであり、例えば収納部のリッドを兼ねることはできない。また、ドアがリッドを兼ねた上段用の場合、それを中段用のトレイとして用いることはできない。
【０００５】
本発明は、このような課題を解決しようとするもので、その目的は、スライド可能に構成されたコンソールドアを、その前後の両スライド位置で、収納部のリッドを兼ねた上段用のトレイ、あるいは収納部内に位置する中段用のトレイとして任意に使い分けることができるコンソールボックスを提供することである。
【課題を解決するための手段】
【０００６】
本発明は、上記の目的を達成するためのもので、以下のように構成されている。
上面が開放された収納部を持つボックス本体と、この収納部における開放面のうち、前後方向の一部のみを被う寸法に設定されたドアとを備え、このドアがボックス本体側に設けられたレールに沿って前後方向へスライドできる構成のコンソールボックスであって、ボックス本体側のレールは、収納部における左右両側の内壁に対して上下に多段状に構成されている。そして、これらのレールに対してドアを選択的に支持し、かつ、取外すことが可能に構成されている。
【０００７】
さらに好ましくは、以下のような構成とすることである。
ボックス本体における収納部の内壁に対し、上下方向の中間域に位置するレールと対応する箇所に収納部内を照明する光源が設けられている。ドアは光源からの光を透す透光部材で構成されている。そして、このドアが多段状のレールに対して選択的に支持された状態において、選択されたレールの高さによって光源に対するドアの上下方向の位置を変化させるように構成されている。
【発明の効果】
【０００８】
本発明では、ボックス本体側の多段状のレールに対してドアを選択的に支持することにより、この選択したレールの高さでドアを前後方向へスライドさせることができる。この結果、ドアを前後方向の両スライド位置において、収納部のリッドを兼ねた上段用のトレイ、あるいは収納部内に位置する中段用のトレイとして任意に使い分けることができる。
【０００９】
また、ボックス本体側の多段状のレールに対して選択的に支持されたドアの上下方向の位置に応じて光源とドアとの位置を変化させる構成としたことにより、収納部の照明を乗員の好みに合わせて変えることができる。例えば、ドアを光源の上方に位置させることで収納部内を照明し、逆にドアを光源の下方に位置させることでドアの上面を照明し、あるいはドアの位置を光源と一致させることで、このドア自体を発光させることもできる。
【図面の簡単な説明】
【００１０】
【図１】第一の実施形態に係るコンソールボックスの外観斜視図。
【図２】第一の実施形態に係るコンソールボックスの外観斜視図。
【図３】第一の実施形態に係るコンソールボックスの分解斜視図。
【図４】図１のIV−IV矢視方向の断面図。
【図５】図２のV−V矢視方向の断面図。
【図６】図５の一部を拡大して表した断面図。
【図７】ドアのレールからの取外し方法を図４との対応によって表した断面図。
【図８】第二の実施形態に係るコンソールボックスの外観斜視図。
【図９】第二の実施形態に係るコンソールボックスの外観斜視図。
【図１０】透光性ドアの分解斜視図。
【図１１】透光性ドアにおける各部材の組付き状態を表した上面図。
【図１２】収納部の照明パターンを表した図８のXII−XII矢視方向の断面図。
【発明を実施するための形態】
【００１１】
以下、本発明を実施するための形態を、図面を用いて説明する。
まず、本発明の第一の実施形態を、主として図１乃至図７によって説明する。
図１および図２に示すコンソールボックス１は、例えば、車両（主として自動車）の車室内における運転席と助手席の間に設置して使用される。
【００１２】
ボックス本体２は、上面が開放された収納部４０を備えている。収納部４０は、図３に示す収納部本体２０と、この収納部本体２０の上部に設けられる多段レール部３０との内壁によって取り囲まれた構成になっている。
【００１３】
図３に示すように、ボックス本体２の中央部分において、収納部本体２０と多段レール部３０との両側は、カバー部材１０よって被われている。両カバー部材１０の上端には、フレーム１２が設置されている。
【００１４】
収納部４０を構成する収納部本体２０と多段レール部３０とについて詳述する。
収納部本体２０は、その上面が開放され、内部が前方部分と後方部分とで深さの異なる収納空間になっている（図３）。
多段レール部３０は、所定高さを有する矩形の枠構造になっており、上下両面は開放されている。すなわち、多段レール部３０は、個別に成形された一対の長壁３０ａと一対の短壁３０ｂとによって構成されている。
【００１５】
多段レール部３０において、両長壁３０ａおよび両短壁３０ｂの内壁には、上下に多段状にレール３２が形成されている。長壁３０ａのレール３２は、該長壁３０ａに沿って前後に連続している。短壁３０ｂのレール３２は、該短壁３０ｂに沿って左右に連続している。
各レール３２は、長壁３０ａと短壁３０ｂとで、同じ高さに位置するように設定されている。
【００１６】
長壁３０ａのレール３２は、後述するドア５０を前後方向へスライド可能に支持することができ、短壁３０ｂのレール３２は、後述する第二の実施形態における透光性ドア６０（図８乃至図１２参照）を所定高さで支持することができるように構成されている。
なお、長壁３０ａと短壁３０ｂとにおけるレール３２の形状は同一であり、形状の詳細については、後述するドア５０との関連において説明する。
【００１７】
図１乃至図３に示すように、多段レール部３０には、その前後二箇所においてドア５０がそれぞれ設けられている。これらの両ドア５０は、多段レール部３０の開放面を前後に略二分して被う寸法に設定されている。両ドア５０は、多段レール部３０の異なる高さのレール３２に支持され、結果として多段レール部３０に段違い状で組付けられている。
前側のドア５０の前端および後側のドア５０の後端には、それぞれの上面を凹ませた取手部５０ａが設けられている。
【００１８】
図３および図４に示すように、ドア５０の両側は前後方向に連続して凹んでいる。この凹み部分に対して、後述する形状のロック部材５２が組付けられている。ドア５０に組付けられたロック部材５２は、そのロック部５２ａがドア５０の側部から外方に突き出した状態にあり、また、ドア５０に対して内外に動くことができるようになっている。
ドア５０とロック部材５２との間には、スプリング（図示省略）が設けられており、ドア５０の内方へ押し込まれたロック部材５２を復帰方向へ押し戻すように付勢している。
【００１９】
図３に示すように、ロック部材５２は、ドア５０の側部と略同じ寸法で前後に延びている。ロック部材５２の先端部分は、その縦断面形状が半円形状となるように湾曲したロック部５２ａとなっている（図６参照）。このロック部５２ａを多段レール部３０の長壁３０ａのレール３２に嵌め込むことによって、ドア５０がレール３２に支持される（図４および図５参照）。
【００２０】
ここで、レール３２の形状について説明する。各レール３２は、多段レール部３０の内側で開放した凹形状をしている（図６参照）。この凹形状は、ロック部５２ａ先端に倣って半円形状に湾曲した形状に設定されている。これにより、レール３２に嵌め込まれるロック部５２ａは、該レール３２によって確実に支持される。
【００２１】
図６に示すように、レール３２の開放上部３２ａは、上方へ傾斜している。そのため、レール３２に嵌め込まれるロック部５２ａ上面と、該レール３２との間に所定の寸法の隙間Ｓを設けることができる。この隙間Ｓの存在により、後述するようなレール３２に対するロック部５２ａの組付けと、レール３２からのロック部５２ａの取外しとを円滑に行うことができる。
【００２２】
図６に示すように、レール３２の開放下部３２ｂは、水平に延びている。これにより、レール３２に嵌め込まれるロック部５２ａを下方から確実に支持できるになっている。
【００２３】
つづいて、本実施形態における収納部４０の使用方法を説明する。
多段レール部３０は、その上下に多段状に構成された左右のレール３２によってドア５０を選択的に支持し、かつ、取外すことことができる。すなわち、本実施形態における２枚のドア５０は、多段レール部３０の左右における任意のレール３２に対して個々に組付けることができ、また、該レール３２から取外すことができる。
なお、既に説明したように、２枚のドア５０は多段レール部３０のレール３２に段違いに組付けられる。
【００２４】
ドア５０をレール３２に組付けるときには、つぎのような操作を行う。
まず、ドア５０の左側もしくは右側のロック部材５２を、多段レール部３０の左側もしくは右側における選択された高さのレール３２に嵌め合わせ、そのままドア５０を該レール３２に対して押しつける。これにより、一方側のロック部材５２が選択された高さのレール３２に嵌め込まれる。それと同時に、この嵌め込んだ側のロック部材５２は、レール３２からの反力を受けて、ドア５０の内方に押し込まれた状態となる。そして、この押し込み状態を維持することにより、反対側のロック部材５２を対応するレール３２の開放口まで移動させて該レール３２に嵌め込むことができる。
こうして、図４および図５に示すような、選択された高さのレール３２に対するドア５０の組付けが完了する。
【００２５】
ドア５０をレール３２から取外すときには、つぎのような操作を行う（図７参照）。
まず、ドア５０を左側もしくは右側のレール３２に対して押しつける。これにより、レール３２に押しつけられた側のロック部材５２が、ドア５０の内方に押し込まれた状態となる。それにより、反対側のロック部材５２をレール３２から外すことができ、この外された側からドア５０を上方へ持ち上げる（図７の仮想線参照）。
こうして、選択されたレール３２からのドア５０の取外しが完了する。
【００２６】
図１および図４に示すように、多段レール部３０の開放口近傍に位置するレール３２に対して前後にドア５０を組付けると、両ドア５０によって多段レール部３０の開放口上面を塞ぐことができる。すなわち、多段レール部３０の内部空間全体を収納領域として利用することができ、また、ドア５０をその収納領域のリッドを兼ねた上段用のトレイとして利用することができる。
【００２７】
また、図２および図５に示すように、多段レール部３０の中間高さに位置するレール３２に対して前後にドア５０を組付けると、収納部４０を上下に分割することができる。これにより、ドア５０を収納部４０における中段用のトレイとして利用することができるとともに、ドア５０の上方および下方を、共に収納領域として利用することができる。
多段レール部３０の下方側に位置するレール３２に対して前後にドア５０を組付けた場合も、収納部４０を上下に分割して使用することができる。
【００２８】
なお、収納部４０に設けられている２枚のドア５０は、個々に選択されたレール３２上をスライド可能に支持されている。そのため、図１および図２に示す状態から、前後の何れかのドア５０を取手部５０ａによって後方もしくは前方にスライドさせることで、収納部本体２０にアクセスすることができる。
【００２９】
本発明では、多段レール部３０における多段状のレール３２に対してドア５０を選択的に支持することにより、この選択したレール３２の高さでドア５０を前後方向へスライドさせることができる。この結果、ドア５０を前後方向の両スライド位置において、収納部４０のリッドを兼ねた上段用のトレイ、あるいは収納部４０内に位置する中段用のトレイとして任意に使い分けることができる。
【００３０】
つづいて、本発明の第ニの実施形態を、主として図８乃至図１２によって説明する。なお、図８乃至図１２において第一の実施形態と同一もしくは均等な構成・機能を有すると考えられる部分には、図１乃至図７と同一の符号を付すことで、重複する説明は省略する。
【００３１】
本実施形態では、多段レール部３０の内壁に、収納部４０内を照射することができる光源８０が設けられている（図１２参照）。光源８０は、多段レール部３０の左右両側で対向している。光源８０は、多段レール部３０における上下方向の中間域に位置するレール３２と対応する箇所に設けられている。この光源８０には、発光ダイオード（ＬＥＤ）を用いることが望ましい。
なお、光源８０は、多段レール部３０の内壁全周にわたって設ける構成としても良い。
【００３２】
また、本実施形態では、多段レール部３０のレール３２に対して、箱型の透光性ドア６０が組付けられている（図８および図９参照）。図１０に示すように、透光性ドア６０は、透光部材６２をその骨格としている。そして、この透光部材６２の外周部分の上面側を遮光部材６４によって被われている。
【００３３】
透光部材６２は、多段レール部３０の開放面に倣った寸法の底面と、この底面の外周近傍から立ち上る側壁とからできている。透光部材６２は、光源８０からの光を透すように設定されている。
遮光部材６４は、透光部材６２の側壁と、透光部材６２に設置される後述のロック機構とを被うことができる形状に構成されている。遮光部材６４は、光源８０からの光を遮るように設定されている。
【００３４】
図１１に示すように、透光性ドア６０の両側には、ロック機構が設けられている。このロック機構は、主として図１０に示すレバー７０と、第１ロック部材７２と、第２ロック部材７４と、ピ二オン７６と、スプリングＳＲとによって構成されている。これらの部材は、透光部材６２の両側壁の内側で、該透光部材６２に対して組付けられている。
【００３５】
図１０に示すように、第１ロック部材７２の前端、および第２ロック部材７４の後端には、円筒状のロックピン７２ａ，７４ａが夫々設けられている。第１ロック部材７２および第２ロック部材７４におけるロックピン７２ａ，７４ａの先端は、該先端を多段レール部３０のレール３２に嵌め込むことができるように構成された球形状（図１１参照）となっている。
【００３６】
図１１に示す組付け状態で、第１ロック部材７２および第２ロック部材７４のロックピン７２ａ，７４ａは、透光部材６２の前後に設けられている貫通孔を通じて、透光性ドア６０の前方および後方に突き出している。遮光部材６４を透光部材６２に被せた状態にあるとき（図８および図９参照）、両ロックピン７２ａ，７４ａは、透光部材６２および遮光部材６４の前後に設けられている貫通孔を通じて、前方および後方に突き出している。
これらの両ロックピン７２ａ，７４ａを、多段レール部３０の前後のレール３２に嵌め込むことによって、透光性ドア６０がレール３２によって支持された状態となる。
【００３７】
図１０に示すように、第１ロック部材７２の後端、および第２ロック部材７４の前端には、ラック７２ｂ，７４ｂが夫々設けられている。図１１に示す組付け状態で、第１ロック部材７２および第２ロック部材７４におけるラック７２ｂ，７４ｂは、共に透光部材６２の底面に軸支されたピ二オン７６に噛合っている。これにより、第１ロック部材７２と第２ロック部材７４とは、互いに反対方向に同期して動くことができる。
【００３８】
第１ロック部材７２と第２ロック部材７４は、透光部材６２に組付けられているレバー７０の操作によって前後に動くように設定されている。詳述すると、レバー７０は、第１ロック部材７２に接触した状態で、透光部材６２における左右の取付部６２ａに組付けられている（図１１参照）。レバー７０を押すと、第１ロック部材７２が透光性ドア６０の内方へ動き、この第１ロック部材７２の移動と同期して第２ロック部材７４が透光性ドア６０の内方へ動く。
【００３９】
なお、第１ロック部材７２と透光部材６２との間には、スプリングＳＲが架けられている。このスプリングＳＲの弾性力により、第１ロック部材７２および第２ロック部材７４は共に図１１に示す位置に戻るように付勢されている。
【００４０】
透光性ドア６０を多段レール部３０のレール３２に組付けるには、透光性ドア６０をその両側のレバー７０を押した状態で所望するレール３２の位置に合せ、該レバー７０の操作力を解除する。これにより、前後のロックピン７２ａ，７４ａが前後のレール３２に夫々嵌め込まれてロック状態になる。また、レール３２から透光性ドア６０を取外すには、再び、両側のレバー７０を押してレール３２に対するロックピン７２ａ，７４ａのロック状態を解除すればよい。
このような透光性ドア６０の組付けと取外しの操作によって、透光性ドア６０は、多段レール部３０における任意の高さのレール３２に対して自在に組付けることができる（図８および図９参照）。
【００４１】
本実施形態では、透光性ドア６０を組付けるレール３２を変更することによって、光源８０に対する透光性ドア６０の上下方向の位置を変化させることができる。これにより、図１２に示すようにして、収納部４０の照明を乗員の好みに合わせて変えることができる。
図１２の（ａ）に示すように、透光性ドア６０を光源８０の上方に位置させると、収納部４０内を照明することができる。図１２の（ｂ）に示すように、透光性ドア６０の透光部材６２の位置を光源８０と一致させると、透光性ドア６０の透光部材６２自体を発光させることができる。図１２の（ｃ）に示すように、透光性ドア６０の遮光部材６４を光源８０と一致させると、透光性ドア６０の外周から光が漏れ出した木漏れ日状の照明とすることができる。図１２の（ｄ）に示すように、透光性ドア６０を光源８０の下方に位置させると、該透光性ドア６０の上面を照明することができる。
【００４２】
なお、透光性ドア６０においても、多段レール部３０のレール３２によって選択的に支持することにより、該透光性ドア６０を、収納部４０のリッドを兼ねた上段用のトレイ（図８参照）、あるいは収納部４０内に位置する中段用のトレイ（図９参照）として任意に使い分けることができる。
【符号の説明】
【００４３】
１     コンソールボックス
２     ボックス本体
３２   レール
４０   収納部
５０   ドア
【図１】
2014213632.tif 000003
【図２】
2014213632.tif 000004
【図３】
2014213632.tif 000005
【図４】
2014213632.tif 000006
【図５】
2014213632.tif 000007
【図６】
2014213632.tif 000008
【図７】
2014213632.tif 000009
【図８】
2014213632.tif 000010
【図９】
2014213632.tif 000011
【図１０】
2014213632.tif 000012
【図１１】
2014213632.tif 000013
【図１２】
2014213632.tif 000014